(57)【特許請求の範囲】
【請求項１】
基準信号を出力する基準周波数発振器と、上記基準信号の周波数および周波数設定値に応じてシンセサイザ信号を出力する周波数シンセサイザと、上記シンセサイザ信号を受信信号とミキシングしてベースバンド信号を出力するミキサと、上記周波数シンセサイザへ上記周波数設定値を出力するとともに、上記ベースバンド信号をＡ／Ｄ変換して上記シンセサイザ信号が有するシンセサイザ周波数誤差を検出し、上記シンセサイザ周波数誤差を打ち消すように上記周波数シンセサイザを制御して受信信号と同期をとるデジタル信号処理器とを備えた通信装置において、
上記デジタル信号処理器で検出された上記シンセサイザ周波数誤差を記憶する不揮発性記憶媒体を設け、
上記デジタル信号処理器は、上記不揮発性記憶媒体に記憶した上記シンセサイザ周波数誤差を上記周波数設定値から除去して、次回受信時の上記周波数設定値とし、
ユーザの操作によって上記デジタル信号処理器へ要求を伝える要求入力器を備え、
上記デジタル信号処理器は、上記要求入力器からの要求が伝えられると、上記シンセサイザ周波数誤差を検出して上記不揮発性記憶媒体に記憶することを特徴とする通信装置。
【請求項２】
デジタル信号処理器は、要求入力器からの要求が伝えられると、保守調整モードを認識して周波数設定値のスィープ範囲を拡大することを特徴とする請求項１記載の通信装置。
【請求項３】
基準信号を出力する基準周波数発振器と、上記基準信号の周波数および周波数設定値に応じてシンセサイザ信号を出力する周波数シンセサイザと、上記シンセサイザ信号を受信信号とミキシングしてベースバンド信号を出力するミキサと、上記周波数シンセサイザへ上記周波数設定値を出力するとともに、上記ベースバンド信号をＡ／Ｄ変換して上記シンセサイザ信号が有するシンセサイザ周波数誤差を検出し、上記シンセサイザ周波数誤差を打ち消すように上記周波数シンセサイザを制御して受信信号と同期をとるデジタル信号処理器とを備えた通信装置において、
上記デジタル信号処理器で検出された上記シンセサイザ周波数誤差を記憶する不揮発性記憶媒体を設け、
上記デジタル信号処理器は、上記不揮発性記憶媒体に記憶した上記シンセサイザ周波数誤差を上記周波数設定値から除去して、次回受信時の上記周波数設定値とし、
上記基準信号の周波数および第２周波数設定値に応じて第２シンセサイザ信号を出力する第２周波数シンセサイザと、
上記第２シンセサイザ信号を第２ベースバンド信号とミキシングして送信信号を出力する第２ミキサと、
自局の停止／移動状態を判断して上記デジタル信号処理器へ伝える外部機器とを備え、
上記デジタル信号処理器は、上記外部機器から上記停止状態が伝えられると、シンセサイザ周波数誤差を検出して不揮発性記憶媒体に記憶し、上記不揮発性記憶媒体に記憶した上記シンセサイザ周波数誤差および第２シンセサイザ周波数誤差を周波数設定値および上記第２周波数設定値からそれぞれ除去して、次回受信時の上記周波数設定値および上記第２周波数設定値とすることを特徴とする通信装置。
【請求項４】
基準信号を出力する基準周波数発振器と、上記基準信号の周波数および周波数設定値に応じてシンセサイザ信号を出力する周波数シンセサイザと、上記シンセサイザ信号を受信信号とミキシングしてベースバンド信号を出力するミキサと、上記周波数シンセサイザへ上記周波数設定値を出力するとともに、上記ベースバンド信号をＡ／Ｄ変換して上記シンセサイザ信号が有するシンセサイザ周波数誤差を検出し、上記シンセサイザ周波数誤差を打ち消すように上記周波数シンセサイザを制御して受信信号と同期をとるデジタル信号処理器とを備えた通信装置において、
上記デジタル信号処理器で検出された上記シンセサイザ周波数誤差を記憶する不揮発性記憶媒体を設け、
上記デジタル信号処理器は、上記不揮発性記憶媒体に記憶した上記シンセサイザ周波数誤差を上記周波数設定値から除去して、次回受信時の上記周波数設定値とし、
上記基準信号の周波数および第２周波数設定値に応じて第２シンセサイザ信号を出力する第２周波数シンセサイザと、
上記第２シンセサイザ信号を第２ベースバンド信号とミキシングして送信信号を出力する第２ミキサと、
ユーザの操作によってデジタル信号処理器へ要求を伝える要求入力器とを備え、
上記デジタル信号処理器は、上記要求入力器から上記要求が伝えられると、シンセサイザ周波数誤差を検出して上記不揮発性記憶媒体に記憶し、上記不揮発性記憶媒体に記憶した上記シンセサイザ周波数誤差および上記第２シンセサイザ周波数誤差を周波数設定値および上記第２周波数設定値からそれぞれ除去して、次回受信時の上記周波数設定値および上記第２周波数設定値とすることを特徴とする通信装置。
【発明の詳細な説明】
【０００１】
【発明の属する技術分野】
この発明は、内部に設けられた基準周波数発振器の初期周波数誤差や経年変化による周波数誤差などのような、長期間にわたって緩やかに変化する周波数誤差を簡易的に補正する通信装置および周波数調整方法に関するものである。
【０００２】
【従来の技術】
図９は基準周波数発振器の構成を示す図である。
図９において、１０１は水晶発振子、１０２Ａ，１０２ＢはそれぞれＣ−ＭＯＳ反転増幅器、１０３Ａ，１０３Ｂはそれぞれコンデンサ、１０４は抵抗である。図９の基準周波数発振器では、コンデンサ１０３Ａをトリマとして容量を変化させることにより、発振する基準周波数を調整する。
【０００３】
図１０は従来の通信装置の構成を示す図であり、特に通信装置に設けられた受信部を図示している。
図１０（ａ）において、１１１は基準周波数発振器、１１２はデジタル信号によって周波数設定が可能な周波数シンセサイザ、１１３は周波数ダウンコンバート用のミキサ、１１４はＡ／Ｄ変換器、１１５は復調処理などを行なうデジタル信号処理器である。
【０００４】
基準周波数発振器１１１からの基準信号の周波数ｆＳＴＤ  ＋ΔｆＳＴＤ  とデジタル信号処理器１１５からの周波数設定値ｆＳＹＮ  とに応じて、周波数シンセサイザ１１２は周波数ｆＳＹＮ  ＋ΔｆＳＹＮ  のシンセサイザ信号を出力する。ここで、ｆＳＴＤ  およびΔｆＳＴＤ  はそれぞれ基準周波数発振器１１１の基準周波数および基準周波数誤差であり、ｆＳＹＮ  およびΔｆＳＹＮ  はそれぞれ周波数シンセサイザ１１２のシンセサイザ周波数およびシンセサイザ周波数誤差である。シンセサイザ周波数誤差ΔｆＳＹＮ  は基準周波数誤差ΔｆＳＴＤ  に起因し、基準周波数誤差ΔｆＳＴＤ  は基準周波数発振器１１１の初期周波数誤差や経年変化などによるものである。
【０００５】
また、デジタル信号処理器１１５は周波数を自動的に制御するＡｕｔｏｍａｔｉｃ  Ｆｒｅｑｕｅｎｃｙ  Ｃｏｎｔｒｏｌ機能（ＡＦＣ機能）および周波数設定値を可変する周波数スィープ機能（ＳＷＰ機能）を備えており、ＡＦＣ機能による周波数誤差の推定範囲（ＡＦＣ範囲）は［−ｆＡＦＣＬＭＴ，＋ｆＡＦＣＬＭＴ］，ＳＷＰ機能による周波数のスィープ可能範囲（ＳＷＰ範囲）は［−ｆＳＷＰＬＭＴ，＋ｆＳＷＰＬＭＴ］となっている。ただしｆＡＦＣＬＭＴ＜ｆＳＷＰＬＭＴとする（図１０（ｂ））。
【０００６】
次に動作について説明する。
図１１は従来の周波数調整方法を示すフローチャートである。
周波数シンセサイザ１１２が出力した周波数ｆＳＹＮ  ＋ΔｆＳＹＮ  の基準信号は、ＲＦ／ＩＦ帯の受信周波数ｆＣ  の受信信号とミキサ１１３によってミキシングされ（ステップＳＴ１０１）、ミキサ１１３は周波数ｆＢ  ＋ΔｆＳＹＮ  のベースバンド信号をＡ／Ｄ変換器１１４へ出力する（ステップＳＴ１０２）。ただし、ｆＢ  はベースバンド周波数であり、ｆＢ  ＝ｆＣ  −ｆＳＹＮ  である。
【０００７】
Ａ／Ｄ変換器１１４で周波数ｆＢ  ＋ΔｆＳＹＮ  のベースバンド信号のＡ／Ｄ変換処理がなされると、デジタル信号処理器１１５はＡＦＣ機能やＳＷＰ機能によってシンセサイザ周波数誤差ΔｆＳＹＮ  を補正する。
【０００８】
例えば｜ΔｆＳＹＮ  ｜＜ｆＡＦＣＬＭＴのように、シンセサイザ周波数誤差ΔｆＳＹＮ  がＡＦＣ範囲内であれば（ステップＳＴ１０３でＹＥＳ）、デジタル信号処理器１１５はＡＦＣ機能によって周波数誤差推定を行ってシンセサイザ周波数誤差ΔｆＳＹＮ  を検出し、シンセサイザ周波数誤差ΔｆＳＹＮ  を打ち消すように周波数シンセサイザ１１２を制御して受信信号と同期をとる（ステップＳＴ１０４）。
【０００９】
ステップＳＴ１０４以後、図１０の通信装置は待ち受け状態になり（ステップＳＴ１０６）、次回起動時のミキシングもシンセサイザ周波数ｆＳＹＮ  で行なう（ステップＳＴ１０７〜ＳＴ１０１）。
【００１０】
基準周波数誤差ΔｆＳＴＤ  が増大して｜ΔｆＳＹＮ  ｜＞ｆＡＦＣＬＭＴとなり、シンセサイザ周波数誤差ΔｆＳＹＮ  がＡＦＣ範囲内に収まらない場合であっても（ステップＳＴ１０３でＮＯ）、｜ΔｆＳＹＮ  ｜＜ｆＳＷＰＬＭＴのようにシンセサイザ周波数誤差ΔｆＳＹＮ  がＳＷＰ範囲内であれば（ステップＳＴ１０８でＹＥＳ）、シンセサイザ周波数誤差ΔｆＳＹＮ  をＳＷＰ機能によっておおよそ打ち消すように、デジタル信号処理器１１５が周波数シンセサイザ１１２を周波数スィープする（ステップＳＴ１０９）。
【００１１】
周波数スィープによって｜ΔｆＳＹＮ  ｜＜ｆＡＦＣＬＭＴになると、前述したステップＳＴ１０４の動作が行なわれ、デジタル信号処理器１１５はシンセサイザ周波数誤差ΔｆＳＹＮ  を検出して受信信号と同期をとる（ステップＳＴ１０４）。
以後、ステップＳＴ１０６，ＳＴ１０７〜ＳＴ１０１の動作へと続き、次回起動時のミキシングもシンセサイザ周波数ｆＳＹＮ  で行なう。
【００１２】
基準周波数誤差ΔｆＳＴＤ  がさらに増大してシンセサイザ周波数誤差ΔｆＳＹＮ  がかなり大きくなり、ΔｆＳＷＰＬＭＴ＜｜ΔｆＳＹＮ  ｜となってＡＦＣ範囲、ＳＷＰ範囲から外れてしまった場合には（ステップＳＴ１０３でＮＯ，ステップＳＴ１０８でＮＯ）、デジタル信号処理器１１５のＡＦＣ機能およびＳＷＰ機能は働かず、通信装置は使用不可能に陥って保守調整が必要となる（ステップＳＴ１１０）。
【００１３】
ステップＳＴ１１０の保守調整では、基準周波数発振器１１１の基準周波数ｆＳＴＤ  を調整するために通信装置の筐体を開き、図１０で説明したコンデンサ１０３Ａをトリマとした調整など煩雑な作業が必要であり、また基準周波数発振器１１１の基板上の電子部品に直接触れるため、作業者や作業場所が限定されてしまう。
【００１４】
【発明が解決しようとする課題】
従来の周波数調整方法は以上のように構成されているので、経年変化で徐々に増大する周波数誤差を自動的・簡易的に補正することができないという課題があった。
【００１５】
この発明は上記のような課題を解決するためになされたものであり、経年変化で徐々に増大する周波数誤差を自動的・簡易的に補正することの可能な通信装置および周波数調整方法を構成することを目的とする。
【００１６】
【課題を解決するための手段】
この発明に係る通信装置は、デジタル信号処理器で検出されたシンセサイザ周波数誤差を記憶する不揮発性記憶媒体を設け、不揮発性記憶媒体に記憶したシンセサイザ周波数誤差をデジタル信号処理器が周波数設定値から除去して、次回受信時の周波数設定値とするようにしたものである。
【００１７】
この発明に係る通信装置は、ユーザの操作によってデジタル信号処理器へ要求を伝える要求入力器を備え、要求入力器からの要求が伝えられると、デジタル信号処理器がシンセサイザ周波数誤差を検出して不揮発性記憶媒体に記憶するようにしたものである。
【００１８】
この発明に係る通信装置は、要求入力器からの要求が伝えられると、デジタル信号処理器が保守調整モードを認識して周波数設定値のスィープ範囲を拡大するようにしたものである。
【００１９】
この発明に係る通信装置は、基準信号の周波数および第２周波数設定値に応じて第２シンセサイザ信号を出力する第２周波数シンセサイザと、第２シンセサイザ信号を第２ベースバンド信号とミキシングして送信信号を出力する第２ミキサと、自局の停止／移動状態を判断してデジタル信号処理器へ伝える外部機器とを備え、外部機器から停止状態が伝えられると、デジタル信号処理器がシンセサイザ周波数誤差を検出して不揮発性記憶媒体に記憶し、不揮発性記憶媒体に記憶したシンセサイザ周波数誤差および第２シンセサイザ周波数誤差を周波数設定値および第２周波数設定値からデジタル信号処理器がそれぞれ除去して、次回受信時の周波数設定値および第２周波数設定値とするようにしたものである。
【００２０】
この発明に係る通信装置は、基準信号の周波数および第２周波数設定値に応じて第２シンセサイザ信号を出力する第２周波数シンセサイザと、第２シンセサイザ信号を第２ベースバンド信号とミキシングして送信信号を出力する第２ミキサと、ユーザの操作によってデジタル信号処理器へ要求を伝える要求入力器とを備え、要求入力器から要求が伝えられると、デジタル信号処理器がシンセサイザ周波数誤差を検出して不揮発性記憶媒体に記憶し、不揮発性記憶媒体に記憶したシンセサイザ周波数誤差および第２シンセサイザ周波数誤差を周波数設定値および第２周波数設定値からデジタル信号処理器がそれぞれ除去して、次回受信時の周波数設定値および第２周波数設定値とするようにしたものである。
【００２１】
この発明に係る周波数調整方法は、基準信号発振器からの基準信号の周波数およびデジタル信号処理器からの周波数設定値に対応して周波数シンセサイザから出力されるシンセサイザ信号と受信信号とをミキシングし、ベースバンド信号を出力するミキシングステップと、ベースバンド信号をＡ／Ｄ変換してシンセサイザ信号が有するシンセサイザ周波数誤差を検出し、シンセサイザ周波数誤差を打ち消すように周波数シンセサイザを制御して受信信号と同期をとる周波数誤差検出・同期ステップと、周波数誤差検出・同期ステップで検出したシンセサイザ周波数誤差を不揮発性記憶媒体に記憶する周波数誤差記憶ステップと、不揮発性記憶媒体に記憶したシンセサイザ周波数誤差を周波数設定値から除去して次回起動時における周波数設定値とする周波数設定値補正ステップとを備えるようにしたものである。
【００２２】
【発明の実施の形態】
以下、この発明の実施の一形態を説明する。
実施の形態１．
図１はこの発明の実施の形態１による通信装置の構成を示す図であり、特に通信装置に設けられた受信部を図示している。
図１において、１１は基準周波数発振器、１２はデジタル信号で周波数設定が可能な周波数シンセサイザ、１３は周波数ダウンコンバート用のミキサ、１４はＡ／Ｄ変換器、１５は復調処理などを行うデジタル信号処理器、１６は通信装置の電源を切っても記憶内容が消えない不揮発性記憶媒体である。
【００２３】
従来と同様に、基準周波数発振器１１からの基準信号の周波数ｆＳＴＤ  ＋ΔｆＳＴＤ  とデジタル信号処理器１５からの周波数設定値ｆＳＹＮ  とに応じて、周波数シンセサイザ１２は周波数ｆＳＹＮ  ＋ΔｆＳＹＮ  のシンセサイザ信号を出力する。ここで、ｆＳＴＤ  およびΔｆＳＴＤ  はそれぞれ基準周波数発振器１１の基準周波数および基準周波数誤差であり、ｆＳＹＮ  およびΔｆＳＹＮ  はそれぞれ周波数シンセサイザ１２のシンセサイザ周波数およびシンセサイザ周波数誤差である。シンセサイザ周波数誤差ΔｆＳＹＮ  は基準周波数誤差ΔｆＳＴＤ  に起因し、基準周波数誤差ΔｆＳＴＤ  は基準周波数発振器１１の初期周波数誤差や経年変化などによるものである。
【００２４】
また、デジタル信号処理器１５も従来と同様にＡＦＣ機能およびＳＷＰ機能を備えており、ＡＦＣ範囲は［−ｆＡＦＣＬＭＴ，＋ｆＡＦＣＬＭＴ］，ＳＷＰ範囲は［−ｆＳＷＰＬＭＴ，＋ｆＳＷＰＬＭＴ］となっている。ただしｆＡＦＣＬＭＴ＜ｆＳＷＰＬＭＴとする。
【００２５】
次に動作について説明する。
図２はこの発明の実施の形態１による周波数調整方法を示すフローチャートである。
周波数シンセサイザ１２が出力した周波数ｆＳＹＮ  ＋ΔｆＳＹＮ  の基準信号は、ＲＦ／ＩＦ帯の受信周波数ｆＣ  の受信信号とミキサ１３によってミキシングされ（ステップＳＴ１）、ミキサ１３は周波数ｆＢ  ＋ΔｆＳＹＮ  のベースバンド信号をＡ／Ｄ変換器１４へ出力する（ステップＳＴ２）。ただし、ｆＢ  はベースバンド周波数であり、ｆＢ  ＝ｆＣ  −ｆＳＹＮ  である。
【００２６】
Ａ／Ｄ変換器１４で周波数ｆＢ  ＋ΔｆＳＹＮ  のベースバンド信号のＡ／Ｄ変換処理がなされると、デジタル信号処理器１５はＡＦＣ機能やＳＷＰ機能によってシンセサイザ周波数誤差ΔｆＳＹＮ  を補正する。
【００２７】
例えば｜ΔｆＳＹＮ  ｜＜ｆＡＦＣＬＭＴのように、シンセサイザ周波数誤差ΔｆＳＹＮ  がＡＦＣ範囲内であれば（ステップＳＴ３でＹＥＳ）、デジタル信号処理器１５はＡＦＣ機能によって周波数誤差推定を行ってシンセサイザ周波数誤差ΔｆＳＹＮ  を検出し、シンセサイザ周波数誤差ΔｆＳＹＮ  を打ち消すように周波数シンセサイザ１２を制御して受信信号と同期をとる（ステップＳＴ４）。
【００２８】
そしてこの実施の形態１では、ステップＳＴ５において、ステップＳＴ４で検出したシンセサイザ周波数誤差ΔｆＳＹＮ  をデジタル信号処理器１５が不揮発性記憶媒体１６へ記憶するようになっている。不揮発性記憶媒体１６に記憶したシンセサイザ周波数誤差ΔｆＳＹＮ  を考慮して、次回起動時のミキシングが行なわれる。
【００２９】
すなわち、ステップＳＴ６の待ち受け状態の後に、デジタル信号処理器１５は周波数シンセサイザ１２に対する周波数設定値をｆＳＹＮ  −ΔｆＳＹＮ  として、次回のミキシングを行なうように動作する（ステップＳＴ７）。
【００３０】
このように、前回起動時における周波数設定値ｆＳＹＮ  から前回起動時で検出・記憶したシンセサイザ周波数誤差ΔｆＳＹＮ  を除去して次回起動時の周波数設定値ｆＳＹＮ  −ΔｆＳＹＮ  とすることで、次回起動時の周波数シンセサイザ１２は基準周波数ｆＳＴＤ  ＋ΔｆＳＴＤ  に対してシンセサイザ周波数ｆＳＹＮ  の信号をミキサ１３へ出力するようになり、ステップＳＴ４においてデジタル信号処理器１５で検出されるシンセサイザ周波数誤差は０になって、経年変化による基準周波数誤差ΔｆＳＴＤ  の影響を打ち消すことができる。
【００３１】
もちろん、この場合に検出されたシンセサイザ周波数誤差０は不揮発性記憶媒体１６に記憶し、次々回起動時は周波数シンセサイザ１２に対して周波数設定値（ｆＳＹＮ  −ΔｆＳＹＮ  ）−０＝ｆＳＹＮ  −ΔｆＳＹＮ  を出力する。
【００３２】
基準周波数誤差ΔｆＳＴＤ  が増大して｜ΔｆＳＹＮ  ｜＞ｆＡＦＣＬＭＴとなり、シンセサイザ周波数誤差ΔｆＳＹＮ  がＡＦＣ範囲内に収まらない場合であっても（ステップＳＴ３でＮＯ）、｜ΔｆＳＹＮ  ｜＜ｆＳＷＰＬＭＴのようにシンセサイザ周波数誤差ΔｆＳＹＮ  がＳＷＰ範囲内であれば（ステップＳＴ８でＹＥＳ）、シンセサイザ周波数誤差ΔｆＳＹＮ  をＳＷＰ機能によっておおよそ打ち消すように、デジタル信号処理器１５が周波数シンセサイザ１２を周波数スィープする（ステップＳＴ９）。
【００３３】
周波数スィープによって｜ΔｆＳＹＮ  ｜＜ｆＡＦＣＬＭＴになると、前述したステップＳＴ４の動作が行なわれ、デジタル信号処理器１５はシンセサイザ周波数誤差ΔｆＳＹＮ  を検出して受信信号と同期をとり（ステップＳＴ４）、前述したように、検出したシンセサイザ周波数誤差ΔｆＳＹＮ  を不揮発性記憶媒体１６に記憶する（ステップＳＴ５）。
以後、ステップＳＴ６，ＳＴ７〜ＳＴ１の動作へと続き、ステップＳＴ１のミキシングはシンセサイザ周波数ｆＳＹＮ  −ΔｆＳＹＮ  で行なうので、経年変化による基準周波数誤差ΔｆＳＴＤ  の影響を打ち消すことができる。
【００３４】
このようにすることで、以上の操作により経年変化で徐々に増大する基準周波数誤差を自動的・簡易的に補正することができ、またＳＷＰ機能による受信同期確立までの時間を短縮することができる。
【００３５】
基準周波数誤差ΔｆＳＴＤ  がさらに増大してシンセサイザ周波数誤差ΔｆＳＹＮ  がかなり大きくなり、ΔｆＳＷＰＬＭＴ＜｜ΔｆＳＹＮ  ｜となってＡＦＣ範囲、ＳＷＰ範囲から外れてしまった場合には（ステップＳＴ３でＮＯ，ステップＳＴ８でＮＯ）、通信装置の保守調整を行なう（ステップＳＴ１０）。保守調整については、実施の形態２で述べる。
【００３６】
以上のように、この実施の形態１によれば、デジタル信号処理器１５で検出されたシンセサイザ周波数誤差ΔｆＳＹＮ  を記憶する不揮発性記憶媒体１６を設け、不揮発性記憶媒体１６に記憶したシンセサイザ周波数誤差ΔｆＳＹＮ  をデジタル信号処理器１５が周波数設定値ｆＳＹＮ  から除去して、次回受信時の周波数設定値をｆＳＹＮ  −ΔｆＳＹＮ  とするようにしたので、経年変化で徐々に増大する基準周波数誤差ΔｆＳＴＤ  を自動的・簡易的に補正することができるという効果が得られ、周波数スイープ動作による受信同期確立までの時間を短縮することができるという効果が得られる。
【００３７】
また、この実施の形態１によれば、基準信号発振器１１からの基準信号の周波数ｆＳＴＤ  ＋ΔｆＳＴＤ  およびデジタル信号処理器１５からの周波数設定値ｆＳＹＮ  に対応して周波数シンセサイザ１２から出力されるシンセサイザ信号と受信信号とをミキシングし、ベースバンド信号を出力するミキシングステップＳＴ１・ＳＴ２と、ベースバンド信号をＡ／Ｄ変換してシンセサイザ信号が有するシンセサイザ周波数誤差ΔｆＳＹＮ  を検出し、シンセサイザ周波数誤差ΔｆＳＹＮ  を打ち消すように周波数シンセサイザ１２を制御して受信信号と同期をとる周波数誤差検出・同期ステップＳＴ３・ＳＴ４と、周波数誤差検出・同期ステップＳＴ３・ＳＴ４で検出したシンセサイザ周波数誤差ΔｆＳＹＮ  を不揮発性記憶媒体１６に記憶する周波数誤差記憶ステップＳＴ５と、不揮発性記憶媒体１６に記憶したシンセサイザ周波数誤差ΔｆＳＹＮ  を周波数設定値ｆＳＹＮ  から除去して次回起動時における周波数設定値をｆＳＹＮ  −ΔｆＳＹＮ  とする周波数設定値補正ステップＳＴ７とを備えるようにしたので、経年変化で徐々に増大する基準周波数誤差ΔｆＳＴＤ  を自動的・簡易的に補正することができるという効果が得られ、周波数スイープ動作による受信同期確立までの時間を短縮することができるという効果が得られる。
【００３８】
実施の形態２．
実施の形態１では、シンセサイザ周波数誤差ΔｆＳＹＮ  を不揮発性記憶媒体１６へ起動時毎に記憶するようにしたが、ユーザからの要求があった際に、シンセサイザ周波数誤差ΔｆＳＹＮ  を不揮発性記憶媒体１６に記憶するようにしても良い。
【００３９】
図３はこの発明の実施の形態２による通信装置の構成を示す図であり、特に通信装置に設けられた受信部を図示している。図１と同一符号は同一または相当する構成である。
図３において、１７はデジタル信号処理器１５へユーザの操作によってユーザの要求を伝える外部ボタン（要求入力器）である。
【００４０】
ユーザが外部ボタン１７を押下すると、デジタル信号処理器１５は不揮発性記憶媒体１６にシンセサイザ周波数誤差ΔｆＳＹＮ  を記憶する。以下、実施の形態１と同様の動作が行なわれ、実施の形態１と同様の効果が得られる。
【００４１】
このとき、通信装置は通常運用モードではなく図２の保守調整モード（ステップＳＴ１０）であるとデジタル信号処理器１５に認識させれば、通常運用モードでは仕様により制限される場合のあるＳＷＰ範囲［−ｆＳＷＰＬＭＴ，＋ｆＳＷＰＬＭＴ］を拡大し、より大きい経年変化による周波数誤差を補正するのに有効である。
【００４２】
これは使用者が長期にわたって通信装置を使用せず、基準周波数発振器１１の経年変化によって、周波数シンセサイザ１２のシンセサイザ周波数誤差ΔｆＳＹＮ  が［−ｆＳＷＰＬＭＴ，＋ｆＳＷＰＬＭＴ］を超えてしまった場合にも、周波数の補正を行うことができる。
【００４３】
以上のように、この実施の形態２によれば、ユーザの操作によってデジタル信号処理器１５へ要求を伝える外部ボタン１７を備え、外部ボタン１７からの要求が伝えられると、デジタル信号処理器１５がシンセサイザ周波数誤差ΔｆＳＹＮ  を検出して不揮発性記憶媒体１６に記憶するようにしたので、経年変化で徐々に増大する基準周波数誤差ΔｆＳＹＮ  を手動で簡易的に補正することができるという効果が得られ、周波数スイープ動作による受信同期確立までの時間を短縮することができるという効果が得られる。
【００４４】
また、この実施の形態２によれば、外部ボタン１７からの要求が伝えられると、デジタル信号処理器１５が保守調整モードを認識して周波数設定値のスィープ範囲を拡大するようにしたので、周波数シンセサイザ１２のシンセサイザ周波数誤差ΔｆＳＹＮ  が通常運用モード時の周波数設定値の可変範囲［−ｆＳＷＰＬＭＴ，＋ｆＳＷＰＬＭＴ］を超えてしまった場合にも、周波数補正を行うことができるという効果が得られる。
【００４５】
実施の形態３．
実施の形態１，２では、通信装置の受信周波数ｆＣ  に大きなドップラー周波数が印加されていないことを前提としている。ドップラー周波数が無視できないような高速移動する移動局に実施の形態１，２を適用するには、移動局の通信装置が持つ周波数誤差とドップラー周波数とをあらかじめ分離しておく必要がある。
【００４６】
図４は静止する基地局Ｘに向って高速移動する移動局Ｙの様子を示す図である。まず、図４の状態において、経年変化による周波数誤差がない場合のドップラー周波数の補正について説明する。
【００４７】
図５は基準周波数誤差ΔｆＳＴＤ  が移動局Ｙにない場合のドップラー周波数の補正を説明するための図である。
図４に示す状態で、基地局Ｘから送信周波数ｆＣ  が移動局Ｙへ送られると（図５（ａ））、移動局Ｙでは送信周波数ｆＣ  に対してドップラー周波数＋ΔｆＤＰＬ  が印加されて受信される（図５（ｂ））。
【００４８】
一方、移動局Ｙからの送信周波数ｆＣ  ’にもドップラー周波数＋ΔｆＤＰＬ  ’が同様に印加されるため、移動局Ｙは送信周波数をｆＣ  ’−ΔｆＤＰＬ  ’として送信すると（図５（ｃ））、基地局Ｘではドップラー周波数ΔｆＤＰＬ  ’を除去した周波数ｆＣ  ’を受信することができる（図５（ｄ））。
【００４９】
次に、経年変化による基準周波数誤差ΔｆＳＴＤを基準周波数ｆに含んだ状態で、移動局Ｙがドップラー周波数を補正した場合について説明する。
【００５０】
図６は基準周波数誤差ΔｆＳＴＤが移動局Ｙにある場合のドップラー周波数の補正を説明するための図である。
図４の状態で、移動局Ｙの受信にドップラー周波数ΔｆＤＰＬ  が印加されていても、移動局Ｙはシンセサイザ周波数誤差ΔｆＳＹＮ  によって周波数ｆＣ  ＋ΔｆＳＹＮ  を基準としているため、ドップラー周波数をΔｆＤＰＬ  −ΔｆＳＹＮ  と誤認識してしまう（図６（ｂ））。
【００５１】
このとき、移動局Ｙの送信部は、周波数ｆＣ  ’＋ΔｆＳＹＮ  ’を基準にΔｆＤＰＬ  ’−ΔｆＳＹＮ  ’だけ送信周波数を補正して送信するため（図６（ｃ））、基地局Ｘとしては２ΔｆＳＹＮ  ’の周波数誤差を含んだ受信周波数を受信することになる（図６（ｄ））。
【００５２】
以上の誤りを防ぐためには、送受信の周波数誤差がΔｆＳＹＮ  ’，ΔｆＳＹＮ  であることを認識し、送受信それぞれにおける移動局Ｙの基準をｆＣ  ’＋ΔｆＳＹＮ  ’，ｆＣ  ＋ΔｆＳＹＮ  から−ΔｆＳＹＮ  ’，−ΔｆＳＹＮ  だけ補正して、図５のようにｆＣ  ’，ｆＣ  の位置に移動させる必要がある。
【００５３】
図７はこの発明の実施の形態３による通信装置の構成を示す図である。図１と同一符号は同一または相当する構成である。
図７において、１２’は送信用の周波数シンセサイザ（第２周波数シンセサイザ）、１３’は送信用のミキサ（第２ミキサ）、１８は移動局Ｙ（自局）の停止／移動状態を識別する外部機器（停止／移動判定器）である。図７では、ドップラー周波数を補正するために、デジタル信号処理器１５によって周波数設定値ｆＳＹＮ  ，第２周波数設定値ｆＳＹＮ  ’がそれぞれ入力される周波数シンセサイザ１２，１２’を用意して、送受信周波数を独立に制御するようにしている。
【００５４】
次に動作について説明する。
外部機器１８は外部から移動局Ｙの速度情報を入手して、移動局Ｙの速度が閾値以下であれば停止状態と判断する。この外部機器１８により移動局Ｙが停止状態であると判断された場合、ミキサ１３へ入力される受信周波数ｆＣ  にはドップラー周波数ΔｆＤＰＬ  が含まれないため、デジタル信号処理器１５で検出するシンセサイザ周波数誤差ΔｆＳＹＮ  は基準周波数誤差ΔｆＳＴＤ  によるものと判断できる。
【００５５】
このとき、周波数シンセサイザ１２のシンセサイザ周波数誤差ΔｆＳＹＮ  を不揮発性記憶媒体１６に記憶するとともに、図５で説明したように、周波数シンセサイザ１２，１２’に対する各周波数設定値をｆＳＹＮ  −ΔｆＳＹＮ  ，ｆＳＹＮ  ’−ΔｆＳＹＮ  ’とそれぞれ補正すれば（第２周波数シンセサイザ誤差ΔｆＳＹＮ  ’はシンセサイザ周波数誤差ΔｆＳＹＮから換算）、受信周波数ｆＣ  ，送信周波数ｆＣ  ’に周波数誤差を含むことなく、基地局Ｘと通信を行なうことができる。
【００５６】
また、外部機器１８は外部から移動局Ｙの速度情報を入手して、移動局Ｙの速度が閾値以上であれば移動状態と判断する。この外部機器１８により移動局Ｙが移動状態であると判断された場合、ミキサ１３へ入力される受信周波数ｆＣ  にはドップラー周波数ΔｆＤＰＬ  が含まれており、基準周波数誤差ΔｆＳＹＮ  を検出することはできない。
【００５７】
このときは、移動局Ｙの停止中に以前検出したシンセサイザ周波数誤差ΔｆＳＹＮ  を不揮発性記憶媒体１６から読み出し、これによって周波数シンセサイザ１２，１２’に対する各周波数設定値をｆＳＹＮ  −ΔｆＳＹＮ  ，ｆＳＹＮ  ’−ΔｆＳＹＮ  ’とそれぞれ補正すれば、受信周波数ｆＣ  ，送信周波数ｆＣ  ’に周波数誤差を含むことなく、基地局Ｘと通信を行なうことができる。
【００５８】
以上のように、この実施の形態３によれば、基準信号の周波数ｆＳＴＤ  ＋ΔｆＳＴＤ  および第２周波数設定値ΔｆＳＹＮ  ’に応じて第２シンセサイザ信号を出力する第２周波数シンセサイザ１２’と、第２シンセサイザ信号を第２ベースバンド信号（周波数ｆＢ  ’）とミキシングして送信信号（周波数ｆＣ  ’）を出力する第２ミキサ１３’と、移動局Ｙの停止／移動状態を判断してデジタル信号処理器１５へ伝える外部機器１８とを備え、外部機器１８から停止状態が伝えられると、デジタル信号処理器１５がシンセサイザ周波数誤差ΔｆＳＹＮ  を検出して不揮発性記憶媒体１６に記憶し、不揮発性記憶媒体１６に記憶したシンセサイザ周波数誤差ΔｆＳＹＮ  および第２シンセサイザ周波数誤差ΔｆＳＹＮ  ’を周波数設定値ｆＳＹＮ  および第２周波数設定値ΔｆＳＹＮ  ’からデジタル信号処理器１５がそれぞれ除去して、次回受信時の周波数設定値および第２周波数設定値をそれぞれｆＳＹＮ  −ΔｆＳＹＮ    ，ｆＳＹＮ  ’−ΔｆＳＹＮ  ’とするようにしたので、高速移動する移動局Ｙにおいて、ドップラー周波数ΔｆＤＰＬ  ，ΔｆＤＰＬ  ’と基準周波数誤差ΔｆＳＴＤ  とを分離して周波数誤差の補正を自動的に行うことができるという効果が得られる。
【００５９】
実施の形態４．
実施の形態３では、高速移動する移動局Ｙにおいて、移動局Ｙの停止／移動状態を識別するための外部機器を備えていることが前提であったが、実施の形態２で示した外部ボタン１７で代用しても良い。
【００６０】
図８はこの発明の実施の形態４による通信装置の構成を示す図である。図１，２，３と同一符号は同一または相当する構成である。
図８の通信装置には、停止／移動状態を判断する外部機器１８がない場合を想定し、デジタル信号処理器１５に外部ボタン（要求入力器）１７を接続している。
【００６１】
この外部ボタン１７は、基準周波数ｆＳＴＤ  の補正をユーザが要求したときに押下されるものである。移動局Ｙが停止状態であることをユーザが判断して外部ボタン１７を押下すると、デジタル信号処理器１５はシンセサイザ周波数誤差ΔｆＳＹＮ  を検出して不揮発性記憶媒体１６に記憶するとともに、受信周波数ｆＣ  ，送信周波数ｆＣ  ’をそれぞれ−ΔｆＳＹＮ  ，−ΔｆＳＹＮ  ’だけ補正して，周波数誤差なしで通信することができる。
【００６２】
また、ユーザが外部ボタン１７を押下していないときは、以前ボタン押下によって検出したΔｆＳＹＮ  を不揮発性記憶媒体１６から読み出し、これによって受信周波数ｆＣ  ，送信周波数ｆＣ  ’を−ΔｆＳＹＮ  ，−ΔｆＳＹＮ  ’だけそれぞれ補正すれば、周波数誤差なしで通信することができる。
【００６３】
以上のように、この実施の形態４によれば、基準信号の周波数ｆＳＴＤ  ＋ΔｆＳＴＤ  および第２周波数設定値ｆＳＹＮ  ’に応じて第２シンセサイザ信号を出力する第２周波数シンセサイザ１２’と、第２シンセサイザ信号を第２ベースバンド信号とミキシングして送信信号を出力する第２ミキサ１３’と、ユーザの操作によってデジタル信号処理器１５へ要求を伝える外部ボタン１７とを備え、外部ボタン１７から要求が伝えられると、デジタル信号処理器１５がシンセサイザ周波数誤差ΔｆＳＹＮ  を検出して不揮発性記憶媒体１６に記憶し、不揮発性記憶媒体１６に記憶したシンセサイザ周波数誤差ΔｆＳＹＮ  および第２シンセサイザ周波数誤差ΔｆＳＹＮ  ’を周波数設定値ｆＳＹＮおよび第２周波数設定値ΔｆＳＹＮ  ’からデジタル信号処理器１５がそれぞれ除去して、次回受信時の周波数設定値および第２周波数設定値をｆＳＹＮ  −ΔｆＳＹＮ  ，ｆＳＹＮ  ’−ΔｆＳＹＮ  ’とするようにしたので、高速移動する移動局Ｙにおいて外部機器１８を要することなく、ドップラー周波数ΔｆＤＰＬ  ，ΔｆＤＰＬ  ’と基準周波数誤差ΔｆＳＴＤ  とを分離して周波数誤差の補正を行うことができるという効果が得られる。
【００６４】
【発明の効果】
以上のように、この発明によれば、デジタル信号処理器で検出されたシンセサイザ周波数誤差を記憶する不揮発性記憶媒体を設け、不揮発性記憶媒体に記憶したシンセサイザ周波数誤差をデジタル信号処理器が周波数設定値から除去して、次回受信時の周波数設定値とするようにしたので、経年変化で徐々に増大する基準周波数誤差を自動的・簡易的に補正することができるという効果が得られ、周波数スイープ動作による受信同期確立までの時間を短縮することができるという効果がある。
【００６５】
この発明によれば、ユーザの操作によってデジタル信号処理器へ要求を伝える要求入力器を備え、要求入力器からの要求が伝えられると、デジタル信号処理器がシンセサイザ周波数誤差を検出して不揮発性記憶媒体に記憶するようにしたので、経年変化で徐々に増大する基準周波数誤差を手動で簡易的に補正することができるという効果が得られ、周波数スイープ動作による受信同期確立までの時間を短縮することができるという効果がある。
【００６６】
この発明によれば、要求入力器からの要求が伝えられると、デジタル信号処理器が保守調整モードを認識して周波数設定値のスィープ範囲を拡大するようにしたので、周波数シンセサイザのシンセサイザ周波数誤差が通常運用モード時の周波数設定値の可変範囲を超えてしまった場合にも、周波数補正を行うことができるという効果がある。
【００６７】
この発明によれば、基準信号の周波数および第２周波数設定値に応じて第２シンセサイザ信号を出力する第２周波数シンセサイザと、第２シンセサイザ信号を第２ベースバンド信号とミキシングして送信信号を出力する第２ミキサと、自局の停止／移動状態を判断してデジタル信号処理器へ伝える外部機器とを備え、外部機器から停止状態が伝えられると、デジタル信号処理器がシンセサイザ周波数誤差を検出して不揮発性記憶媒体に記憶し、不揮発性記憶媒体に記憶したシンセサイザ周波数誤差および第２シンセサイザ周波数誤差を周波数設定値および第２周波数設定値からデジタル信号処理器がそれぞれ除去して、次回受信時の周波数設定値および第２周波数設定値とするようにしたので、高速移動する自局において、ドップラー周波数と基準周波数誤差とを分離して周波数誤差の補正を自動的に行うことができるという効果がある。
【００６８】
この発明によれば、基準信号の周波数および第２周波数設定値に応じて第２シンセサイザ信号を出力する第２周波数シンセサイザと、第２シンセサイザ信号を第２ベースバンド信号とミキシングして送信信号を出力する第２ミキサと、ユーザの操作によってデジタル信号処理器へ要求を伝える要求入力器とを備え、要求入力器から要求が伝えられると、デジタル信号処理器がシンセサイザ周波数誤差を検出して不揮発性記憶媒体に記憶し、不揮発性記憶媒体に記憶したシンセサイザ周波数誤差および第２シンセサイザ周波数誤差を周波数設定値および第２周波数設定値からデジタル信号処理器がそれぞれ除去して、次回受信時の周波数設定値および第２周波数設定値とするようにしたので、高速移動する自局において外部機器を要することなく、ドップラー周波数と基準周波数誤差とを分離して周波数誤差の補正を行うことができるという効果がある。
【００６９】
この発明によれば、基準信号発振器からの基準信号の周波数およびデジタル信号処理器からの周波数設定値に対応して周波数シンセサイザから出力されるシンセサイザ信号と受信信号とをミキシングし、ベースバンド信号を出力するミキシングステップと、ベースバンド信号をＡ／Ｄ変換してシンセサイザ信号が有するシンセサイザ周波数誤差を検出し、シンセサイザ周波数誤差を打ち消すように周波数シンセサイザを制御して受信信号と同期をとる周波数誤差検出・同期ステップと、周波数誤差検出・同期ステップで検出したシンセサイザ周波数誤差を不揮発性記憶媒体に記憶する周波数誤差記憶ステップと、不揮発性記憶媒体に記憶したシンセサイザ周波数誤差を周波数設定値から除去して次回起動時における周波数設定値とする周波数設定値補正ステップとを備えるようにしたので、経年変化で徐々に増大する基準周波数誤差を自動的・簡易的に補正することができるという効果が得られ、周波数スイープ動作による受信同期確立までの時間を短縮することができるという効果がある。
【図面の簡単な説明】
【図１】この発明の実施の形態１による通信装置の構成を示す図である。
【図２】この発明の実施の形態１による周波数調整方法を示すフローチャートである。
【図３】この発明の実施の形態２による通信装置の構成を示す図である。
【図４】静止する基地局に向って高速移動する移動局の様子を示す図である。
【図５】基準周波数誤差が移動局にない場合のドップラー周波数の補正を説明するための図である。
【図６】基準周波数誤差が移動局にある場合のドップラー周波数の補正を説明するための図である。
【図７】この発明の実施の形態３による通信装置の構成を示す図である。
【図８】この発明の実施の形態４による通信装置の構成を示す図である。
【図９】基準周波数発振器の構成を示す図である。
【図１０】従来の通信装置の構成を示す図である。
【図１１】従来の周波数調整方法を示すフローチャートである。
【符号の説明】
１１  基準周波数発振器、１２，１２’  周波数シンセサイザ、１３，１３’ミキサ、１４  Ａ／Ｄ変換器、１５  デジタル信号処理器、１６  不揮発性記憶媒体、１７  外部ボタン（要求入力器）、１８  外部機器（停止移動判定器）、１０１  水晶発振子、１０２Ａ，１０２Ｂ  Ｃ−ＭＯＳ反転増幅器、１０３Ａ，１０３Ｂ  コンデンサ、１０４  抵抗、１１１  基準周波数発振器、１１２  周波数シンセサイザ、１１３  ミキサ、１１４  Ａ／Ｄ変換器、１１５  デジタル信号処理器。
【図１】
0003588060.tif 000002
【図２】
0003588060.tif 000003
【図３】
0003588060.tif 000004
【図４】
0003588060.tif 000005
【図５】
0003588060.tif 000006
【図６】
0003588060.tif 000007
【図７】
0003588060.tif 000008
【図８】
0003588060.tif 000009
【図９】
0003588060.tif 000010
【図１０】
0003588060.tif 000011
【図１１】
0003588060.tif 000012